(57)【要約】【課題】受信側の通信端末装置に実施させる処理を、受信側の通信端末装置にカデンス回数を検出するための特別な手段等を必要とすることなく簡単な手法でファクシミリの発信元の通信端末装置より命令することができるファクシミリ通信システム、及び通信端末装置を提供する。【解決手段】発信元のファクシミリ装置から、受信側の複合機１に実施させる処理の命令コードをファクシミリ通信のＴＳＩ情報に含ませて送信する。受信側の通信端末装置である複合機１は、発信元電話番号通知サービスに対応しており、発信元電話番号取得部２が発信元電話番号を所得し、ＴＳＩ情報取得部３がＴＳＩ情報を取得する。そして、処理決定部４が、発信元電話番号とＴＳＩ情報に含まれる命令コードとに基づいて、発信元より命令された処理を決定し、これを実施する。【選択図】図１
2011234035.tif 000002
【特許請求の範囲】
【請求項１】
発信元の通信端末装置から画像データをファクシミリ送信し、受信側の通信端末装置にて受信した画像データを処理するファクシミリ通信システムにおいて、
前記発信元の通信端末装置は、前記受信側の通信端末装置との間で、予め定められている取り決めに従って設定された命令コードであって、受信側の通信端末装置にて実施させる処理を命令する命令コード、が含まれたＴＳＩ情報を送信する送信部を有しており、
前記受信側の通信端末装置は、
電話回線網が提供する発信元電話番号通知サービスに対応しており、発信元電話番号通知サービスにより通知される発信元電話番号を取得する発信元電話番号取得部と、
前記発信元より送信されるＴＳＩ情報を取得するＴＳＩ情報取得部と、
前記ＴＳＩ情報取得部にて取得されたＴＳＩ情報に前記命令コードが含まれているか否かを判断し、含まれている場合は、受信した前記発信元電話番号と含まれている前記命令コードとに基づいて、実施する処理を決定する処理決定部とを備えることを特徴とするファクシミリ通信システム。
【請求項２】
前記受信側の通信端末装置は、
前記命令コードによる命令を受け付ける発信元電話番号を記憶する第１発信元電話番号記憶部と、
前記命令コードに対応付けて実施する処理の内容を記憶する処理内容記憶部とを備え、
前記処理決定部は、前記発信元電話番号が、前記第１発信元電話番号記憶部に記憶されている場合に、前記ＴＳＩ情報に含まれている命令コードにて命令される処理を、当該通信端末装置にて実施する処理として決定することを特徴とする請求項１に記載のファクシミリ通信システム。
【請求項３】
前記受信側の通信端末装置は、
前記命令コードによる命令を受け付ける発信元電話番号を、発信元電話番号毎に命令可能な命令コードを対応付けて記憶する第２発信元電話番号記憶部と、
前記命令コードに対応付けて実施する処理の内容を記憶する処理内容記憶部とを備え、
前記処理決定部は、前記発信元電話番号が、前記第２発信元電話番号記憶部に記憶されており、かつ、前記ＴＳＩ情報に含まれている命令コードが、当該発信元電話番号に命令可能な命令コードである場合に、前記ＴＳＩ情報に含まれている命令コードにて命令される処理を、当該通信端末装置にて実施する処理として決定することを特徴とする請求項１に記載のファクシミリ通信システム。
【請求項４】
前記命令コードは、処理の主たる処理内容を示す主コードと、主コードで示される処理を実施する上で必要に応じて付けられる１つ或いは複数の副コードとからなることを特徴とする請求項１〜３の何れか１項に記載のファクシミリ通信システム。
【請求項５】
前記命令コードにて命令する処理が、画像データを記録用紙上に出力する印刷処理であることを特徴とする請求項１〜４の何れか１項に記載のファクシミリ通信システム。
【請求項６】
前記命令コードにて命令する処理が、指定した時間に画像データを記録用紙上に出力する時刻指定の印刷処理であり、主コードが時刻指定の印刷処理であることを示し、副コードが印刷する時刻を示すことを特徴とする請求項４に記載のファクシミリ通信システム。
【請求項７】
前記命令コードにて命令する処理が、画像データを転送する転送処理であることを特徴とする請求項１〜４の何れか１項に記載のファクシミリ通信システム。
【請求項８】
前記命令コードにて命令する処理が、画像データを転送する転送処理であり、主コードが転送処理であることを示し、副コードが転送先の電話番号を示すことを特徴とする請求項４に記載のファクシミリ通信システム。
【請求項９】
前記命令コードにて命令する処理が、画像データを受信側の通信端末装置の記憶装置に保存する保存処理であることを特徴とする請求項１〜４の何れか１項に記載のファクシミリ通信システム。
【請求項１０】
前記命令コードにて命令する処理が、画像データを受信側の通信端末装置の記憶装置に保存する保存処理であり、主コードが保存処理であることを示し、副コードが前記記憶装置を示すことを特徴とする請求項４に記載のファクシミリ通信システム。
【請求項１１】
前記命令コードにて命令する処理が、受信側の通信端末装置の記憶装置に保存されている画像データを発信元の通信端末装置に送信させる返信処理であることを特徴とする請求項１〜４の何れか１項に記載のファクシミリ通信システム。
【請求項１２】
前記命令コードにて命令する処理が、受信側の通信端末装置の記憶装置に保存されている画像データを発信元の通信端末装置に送信させる返信処理であり、主コードが返信処理であることを示し、副コードが前記記憶装置を示すことを特徴とする請求項４に記載のファクシミリ通信システム。
【請求項１３】
電話回線網が提供する発信元電話番号通知サービスに対応しており、発信元電話番号通知サービスにより通知される発信元電話番号を取得する発信元電話番号取得部と、
発信元より送信されるＴＳＩ情報を取得するＴＳＩ情報取得部と、
前記ＴＳＩ情報取得部にて取得されたＴＳＩ情報に、発信元の通信端末装置との間で、予め定められている取り決めに従って設定された命令コードであって、当該通信端末装置において実施する処理を命令する命令コードが含まれているか否かを判断し、含まれている場合は、受信した前記発信元電話番号と含まれている前記命令コードとに基づいて、実施する処理を決定する処理決定部とを備えることを特徴とする通信端末装置。
【請求項１４】
前記命令コードによる命令を受け付ける発信元電話番号を記憶する第１発信元電話番号記憶部と、
前記命令コードに対応付けて実施する処理の内容を記憶する処理内容記憶部とを備え、
前記処理決定部は、前記発信元電話番号が、前記第１発信元電話番号記憶部に記憶されている場合に、前記ＴＳＩ情報に含まれている命令コードにて命令される処理を、当該通信端末装置にて実施する処理として決定することを特徴とする請求項１３に記載の通信端末装置。
【請求項１５】
前記命令コードによる命令を受け付ける発信元電話番号を、発信元電話番号毎に命令可能な命令コードを対応付けて記憶する第２発信元電話番号記憶部と、
前記命令コードに対応付けて実施する処理の内容を記憶する処理内容記憶部とを備え、
前記処理決定部は、前記発信元電話番号が、前記第２発信元電話番号記憶部に記憶されており、かつ、前記ＴＳＩ情報に含まれている命令コードが、当該発信元電話番号に命令可能な命令コードである場合に、前記ＴＳＩ情報に含まれている命令コードにて命令される処理を、当該通信端末装置にて実施する処理として決定することを特徴とする請求項１３に記載の通信端末装置。
【請求項１６】
前記命令コードは、処理の主たる処理内容を示す主コードと、主コードで示される処理を実施する上で必要に応じて付けられる１つ或いは複数の副コードとからなることを特徴とする請求項１３〜１５の何れか１項に記載の通信端末装置。
【請求項１７】
前記命令コードにて命令する処理が、画像データを記録用紙上に出力する印刷処理であることを特徴とする請求項１３〜１６の何れか１項に記載の通信端末装置。
【請求項１８】
前記命令コードにて命令する処理が、指定した時間に画像データを記録用紙上に出力する時刻指定の印刷処理であり、主コードが時刻指定の印刷処理であることを示し、副コードが印刷する時刻を示すことを特徴とする請求項１６に記載の通信端末装置。
【請求項１９】
前記命令コードにて命令する処理が、画像データを転送する転送処理であることを特徴とする請求項１３〜１６の何れか１項に記載の通信端末装置。
【請求項２０】
前記命令コードにて命令する処理が、画像データを転送する転送処理であり、主コードが転送処理であることを示し、副コードが転送先の電話番号を示すことを特徴とする請求項１６に記載の通信端末装置。
【請求項２１】
前記命令コードにて命令する処理が、画像データを受信側の通信端末装置の記憶装置に保存する保存処理であることを特徴とする請求項１３〜１６の何れか１項に記載の通信端末装置。
【請求項２２】
前記命令コードにて命令する処理が、画像データを受信側の通信端末装置の記憶装置に保存する保存処理であり、主コードが保存処理であることを示し、副コードが前記記憶装置を示すことを特徴とする請求項１６に記載の通信端末装置。
【請求項２３】
前記命令コードにて命令する処理が、受信側の通信端末装置の記憶装置に保存されている画像データを発信元の通信端末装置に送信させる返信処理であることを特徴とする請求項１３〜１６の何れか１項に記載の通信端末装置。
【請求項２４】
前記命令コードにて命令する処理が、受信側の通信端末装置の記憶装置に保存されている画像データを発信元の通信端末装置に送信させる返信処理であり、主コードが返信処理であることを示し、副コードが前記記憶装置を示すことを特徴とする請求項１６に記載の通信端末装置。
【請求項２５】
請求項１３〜２４の何れか１項に記載の通信端末装置を動作させるプログラムであって、コンピュータを前記処理決定部として機能させるためのプログラム。
【請求項２６】
請求項２５に記載のプログラムを記録したコンピュータ読み取り可能な記録媒体。
【発明の詳細な説明】
【技術分野】
【０００１】
本発明は、電話回線網を介してファクシミリ送信されてくる画像データを、受信側（着呼側）の通信端末装置にて処理するファクシミリ通信システム、及び通信端末装置に関するものである。
【背景技術】
【０００２】
近年、電話回線網においては、発信元の電話番号を受信側に通知する発信元電話番号通知サービス（例えば、日本国におけるナンバーディスプレイサービス）が提供されている。このサービスを利用することで、受信側の通信端末装置（以下、通信端末と略記する）は、電話回線網から通知される発信元電話番号を取得することができる。
【０００３】
従来、このような発信元電話番号通知サービスを利用したり、受信した画像データに含まれるＴＳＩ情報を利用したりして、受信側の通信端末が発信元ユーザ（発信元の通信端末）を特定し、受信した画像データに対して、発信元ユーザに応じた所定処理を行うといった、自動仕分けも行われている。
【０００４】
上記ＴＳＩ情報とは、ファクシミリ通信において、送信先との通信を確立するにあたり、発信元の通信端末より送信する情報である。ＴＳＩ情報は、画像データを送信する前のフェーズで送信され、画像データはその後のフェーズで送信される。
【０００５】
ＴＳＩ情報は、通信端末のユーザが設定する情報を元にした２０桁以内の情報であり、通常は、発信元ユーザを特定できるように、発信元の電話番号が設定される。これにより、受信側の通信端末は、ＴＳＩ情報を用いて発信元ユーザを特定することができる。
【０００６】
また、例えば特許文献１には、ファクシミリ装置において、発信元電話番号通知サービスを利用すると共に、着呼時のカデンス回数を検出して、受信した画像データを転送する技術が開示されている。
【０００７】
これによれば、発信元電話番号とカデンス回数とに対応づけて、例えば「短縮００に転送」などの処理が定められている。転送を希望する場合、発信元のファクシミリ装置からは、相手先の着呼時のカデンス回数が、希望する転送先への転送処理を示すように、予め取り決めたルールに基づいて設定する。受信側のファクシミリ装置においては、カデンス回数を検出し、送信元電話番号と検出したカデンス回数とに応じて決定される相手先へと受信した画像データを送信（転送）する。
【０００８】
また、近年、コピー機能だけでなく、プリンタ機能、スキャナ機能、ファクシミリ機能、画像ファイリング機能等、複数の機能を兼ね備えた複合機と称される画像形成装置が普及しており、このような複合機にて、ファクシミリ送信されてきた画像データを受信して処理することも多くなってきている。
【先行技術文献】
【特許文献】
【０００９】
【特許文献１】特開平１１−８７５１号公報（１９９９年１月１２日公開）
【発明の概要】
【発明が解決しようとする課題】
【００１０】
しかしながら、上述のようなファクシミリの仕分け技術には、以下のような問題点がある。
【００１１】
受信側の通信端末が、発信元電話番号通知サービスやＴＳＩ情報を利用して、発信元ユーザを特定し、発信元ユーザに応じた処理を行う技術では、発信元ユーザ毎に予め定められている１つの処理しか実施することができない。
【００１２】
一方、ファクシミリ装置が、発信元電話番号とカデンス回数とに対応付けて、転送などを行う特許文献１の技術の場合は、発信元電話番号に加えてカデンス回数を利用しているので、発信元ユーザ毎に定められた１つの処理しかできないといった問題はない。
【００１３】
しかしながら、カデンス回数を利用しているため、カデンス回数を検出するための、特別な手段を設ける必要がある。また、転送先の情報（電話番号）については、発信元ユーザと着信側ユーザとの間で取り決めを行った上で予め設定しておく必要があり、発信元ユーザが、ファクシミリを送信する度に転送先を指定するといったことはできない。
【００１４】
また、利用できるカデンス回数は限られるため、設定できる処理数が限られるといった問題もある。上述したように、近年、複合機が普及しており、このような複合機にて、ファクシミリ送信されてきた画像データを受信して処理することも多くなってきている。上記したカデンス回数を利用して処理を設定する技術では、このような複数の機能を備えた複合機の機能を使いこなすような仕分け処理は実施できない。
【００１５】
本発明は、上記課題に鑑みなされたもので、受信側の通信端末装置に実施させる処理を、受信側の通信端末装置にカデンス回数を検出するための特別な手段等を必要とすることなく簡単な手法で発信元の通信端末装置より命令することができるファクシミリ通信システム、及び通信端末装置を提供することを目的としている。
【課題を解決するための手段】
【００１６】
本発明のファクシミリ通信システムは、上記の課題を解決するために、発信元の通信端末装置から画像データをファクシミリ送信し、受信側の通信端末装置にて受信した画像データを処理するファクシミリ通信システムにおいて、前記発信元の通信端末装置は、前記受信側の通信端末装置との間で、予め定められている取り決めに従って設定された命令コードであって、受信側の通信端末装置にて実施させる処理を命令する命令コード、が含まれたＴＳＩ情報を送信する送信部を有しており、前記受信側の通信端末装置は、電話回線網が提供する発信元電話番号通知サービスに対応しており、発信元電話番号通知サービスにより通知される発信元電話番号を取得する発信元電話番号取得部と、前記送信元より送信されるＴＳＩ情報を取得するＴＳＩ情報取得部と、前記ＴＳＩ情報取得部にて取得されたＴＳＩ情報に前記命令コードが含まれているか否かを判断し、含まれている場合は、受信した前記発信元電話番号と含まれている前記命令コードとに基づいて、実施する処理を決定する処理決定部とを備えることを特徴としている。
【００１７】
これによれば、受信側の通信端末装置における発信元電話番号取得部が、発信元電話番号通知サービスにより通知される発信元電話番号を取得し、ＴＳＩ情報取得部が、送信元より送信されるＴＳＩ情報を取得する。そして、処理決定部が、取得されたＴＳＩ情報に命令コードが含まれているか否かを判断し、含まれている場合は、発信元電話番号と命令コードとに基づいて、当該受信側の通信端末装置において実施する処理を決定するようになっている。
【００１８】
つまり、発信元電話番号通知サービスの提供により、受信側に発信元を知らせるといった役目のなくなったＴＳＩ情報を使って、発信元より受信側に対して、受信側の通信端末装置において実施する処理を命令することができるファクシミリ通信システムが構築される。
【００１９】
したがって、ファクシミリの発信元となるユーザと受信側となるユーザとの間で、受信側ユーザの有する通信端末装置の機能に応じて、命令コードにて命令する処理を種々設定しておく。そして、送信元のユーザは、受信側の通信端末装置における処理をＴＳＩ情報にて命令し、受信側の装置は、ＴＳＩ情報にて命令された処理を実施する。これにより、ユーザは、受信した情報の内容や重要性に応じた仕分け作業を、自らの手を煩わせることなく通信端末装置において実施させることができるので、非常に利便性の高いものとなる。
【００２０】
しかも、ＴＳＩ情報を用いているので、カデンス回数を検出するための特別な手段を設ける必要がない。また、ＴＳＩ情報を用いることで、数字にて電話番号を情報に含めることができるので、受信側の通信端末装置に、電話番号が登録されていない相手先への転送も可能となる。また、２０桁で構成されるＴＳＩ情報を利用することで、受信側の通信端末装置が、近年、普及している複合機であったとしても、送信側より、複合機の機能を使いこなすような処理命令も可能になる。
【００２１】
また、ここで、実施する処理の決定に、命令コードだけでなく発信元電話番号を用いるのは、不特定のユーザにこのシステムを開放すると、受信側のユーザが所望しない不適当な処理が命令される虞があるためである。発信元電話番号を用いて命令を発することのできるユーザの対象を明確にしておくことで、見知らぬユーザから命令コードで処理が命じられても、受信側の通信端末装置は命令に従わないといった対応が可能となる。
【００２２】
命令コードにて命令する処理としては、画像データを記録用紙上に出力する印刷処理、画像データを転送する転送処理、画像データを受信側の通信端末装置の記憶装置に保存する保存処理、或いは、受信側の通信端末装置の記憶装置に保存されている画像データを発信元に返信させる返信処理などがある。
【００２３】
本発明のファクシミリ通信システムにおいては、さらに、前記受信側の通信端末装置は、前記命令コードによる命令を受け付ける発信元電話番号を記憶する第１発信元電話番号記憶部と、前記命令コードに対応付けて実施する処理の内容を記憶する処理内容記憶部とを備え、前記処理決定部は、前記発信元電話番号が、前記第１発信元電話番号記憶部に記憶されている場合に、前記ＴＳＩ情報に含まれている命令コードにて命令される処理を、当該通信端末装置にて実施する処理として決定する構成とすることもできる。
【００２４】
これによれば、発信元の通信端末装置のユーザに対して、命令コードとその処理内容との対応付けを通知する一方、受信側の通信端末装置のユーザは、命令コードによる処理命令を受け付けるユーザの電話番号（発信元電話番号）を第１発信元電話番号に登録することで、本発明のファクシミリ通信システムを利用できるようになる。
【００２５】
また、本発明のファクシミリ通信システムにおいては、さらに、前記受信側の通信端末装置は、前記命令コードによる命令を受け付ける発信元電話番号を、発信元電話番号毎に命令可能な命令コードを対応付けて記憶する第２発信元電話番号記憶部と、前記命令コードに対応付けて実施する処理の内容を記憶する処理内容記憶部とを備え、前記処理決定部は、前記発信元電話番号が、前記第２発信元電話番号記憶部に記憶されており、かつ、前記ＴＳＩ情報に含まれている命令コードが、当該発信元電話番号に命令可能な命令コードである場合に、前記ＴＳＩ情報に含まれている命令コードにて命令される処理を、当該通信端末装置にて実施する処理として決定する構成とすることもできる。
【００２６】
これによれば、発信元電話番号毎に使用できる命令コードが決められているので、本発明のファクシミリ通信システムの利用を許可している発信元であるからといって、命令コードで命令できる全ての処理を受信側に命令することはできず、受信側の通信端末装置は、発信元より許可していない命令コードで処理が命じられても、命令に従わないといった対応が可能となる。
【００２７】
本発明のファクシミリ通信システムは、受信側の通信端末装置での処理を発信元から命令できるものであるため、本発明のファクシミリ通信システムを利用することを許可した全ての発信元ユーザを同等に扱うと、受信側のユーザが希望しない処理が命令されて実施される事態も想定される。このように、本発明のファクシミリ通信システムを利用することは許可するものの、希望しない処理の命令を拒否（規制）できる手立てを受信側に設けておくことで、本発明のファクシミリ通信システムの利便性の向上がはかれる。
【００２８】
また、本発明のファクシミリ通信システムにおいては、さらに、前記命令コードが、指定する処理の主たる処理内容を示す主コードと、主コードで示される処理を実施する上で必要に応じて付けられる１つ或いは複数の副コードとからなる構成とすることもできる。
【００２９】
例えば、命令する処理が転送処理である場合、命令コードは、転送処理であることを示す主コードと、転送先の電話番号を示す副コードよりなる構成とできる。また、命令する処理が指定した時刻に画像データを記録用紙上に出力する時刻指定の印刷処理である場合には、命令コードは、時刻指定の印刷処理であることを示す主コードと、印刷する時刻を示す副コードよりなる構成とすることができる。
【００３０】
また、命令する処理が、画像データを受信側の通信端末装置の記憶装置に保存する保存処時である場合は、命令コードは、記憶装置への保存処理であることを示す主コードと、保存先となる記憶装置を示す副コードよりなる構成とすることができる。
【００３１】
また、命令する処理が、受信側の通信端末装置の記憶装置に保存されている画像データを発信元の通信端末装置に送信させる返信処理である場合は、命令コードは、返信処理であることを示す主コードと、画像データが保存されている記憶装置を示す副コードとからなる構成とすることができる。
【００３２】
また、本発明は、上記した本発明のファクシミリ通信システムにおける、受信側の通信端末装置となる、電話回線網が提供する発信元電話番号通知サービスに対応しており、発信元電話番号通知サービスにより通知される発信元電話番号を取得する発信元電話番号取得部と、発信元より送信されるＴＳＩ情報を取得するＴＳＩ情報取得部と、前記ＴＳＩ情報取得部にて取得されたＴＳＩ情報に前記命令コードが含まれているか否かを判断し、含まれている場合は、受信した前記発信元電話番号と含まれている前記命令コードとに基づいて、実施する処理を決定する処理決定部とを備える通信端末装置単独のものも、発明の範疇としている。
【００３３】
また、上記通信端末装置における処理決定部は、コンピュータによって実現してもよく、この場合には、コンピュータを上記通信端末装置の処理決定部として動作させることにより、上記通信端末装置をコンピュータにて実現させるプログラム、及びそれを記録したコンピュータ読み取り可能な記録媒体も、本発明の範疇に含まれる。
【発明の効果】
【００３４】
これにより、受信側の通信端末装置に実施させる処理を、受信側の通信端末装置にカデンス回数を検出するための特別な手段等を必要とすることなく簡単な手法で発信元の通信端末装置より命令することができるファクシミリ通信システム、及び通信端末装置を提供することができる。
【図面の簡単な説明】
【００３５】
【図１】本発明の実施の一形態を示すもので、本実施の形態のファクシミリ通信システムにおける受信側の通信端末装置であり、ファクシミリの発信元からの命令に従って処理する命令実施処理を実施する複合機、の機能ブロック図である。
【図２】図１に示す複合機の回路ブロック図である。
【図３】従来のファクシミリ通信に用いられているＴＳＩ情報の例を示す図である。
【図４】発信元電話番号通知サービスを提供する加入者交換機と情報受信端末との接続シーケンスを説明する図である。
【図５】図１の複合機が備える、第１発信元電話番号テーブルの内容例を示す図である。
【図６】本実施の形態のファクシミリ通信システムに用いられるＴＳＩ情報の例を示す図である。
【図７】図１の複合機が備える、命令テーブルの内容例を示す図である。
【図８】本実施の形態のファクシミリ通信システムに用いられるＴＳＩ情報の例を示す図である。
【図９】本実施の形態のファクシミリ通信システムにおける処理の一例のイメージを示すものであり、発信元のファクシミリ装置からファクシミリ送信された画像データを、発信元のファクシミリ装置が指定した相手先のファクシミリ装置へと、複合機が転送する処理のイメージを示す図である。
【図１０】本実施の形態のファクシミリ通信システムに用いられるＴＳＩ情報の例を示す図である。
【図１１】図１の複合機における命令実施処理の手順を示すフローチャートである。
【図１２】本発明の他の実施の形態を示すもので、ファクシミリの発信元からの命令に従って処理する命令実施処理を実施する複合機が備える、第２発信元電話番号テーブルの内容例を示す図である。
【図１３】図１２の複合機における命令実施処理の手順を示すフローチャートである。
【図１４】本発明のさらに他の実施の形態を示すもので、ファクシミリの発信元からの命令に従って処理する命令実施処理を実施する複合機が備える、命令テーブルの内容例を示す図である。
【図１５】図１４に示すさらに他の実施の形態のファクシミリ通信システムに用いられるＴＳＩ情報の例を示す図である。
【発明を実施するための形態】
【００３６】
［実施の形態１］
以下、本発明の実施の一形態について、図１〜図１１を用いて以下に説明する。
【００３７】
図２に、本実施の形態におけるファクシミリ通信システムにおける受信側の通信端末装置である複合機（ＭＦＰ装置）１の回路ブロック図を示す。
【００３８】
本複合機１は、主制御部１２、システムメモリ１３、パラメータメモリ１４、スキャナ１５、プリンタ１６、網制御部１７、モデム（ＮＣＵ：Network Control Unit）１８、画像蓄積メモリ１９、符号化・復号化部２０、操作表示部２１を備え、上記各部は、システムバス２３により接続されている。
【００３９】
システムメモリ１３は、ＲＯＭ（Read Only Memory）及びＲＡＭ（Random Access Memory）などで構成されており、複合機１における、複写処理、印刷処理、ファクシミリ通信処理、画像ファイリング処理等の基本処理プログラムと共に、後述する、ファクシミリを受信した際に、ファクシミリの送信元からＴＳＩ情報にて命令された処理を実施する命令実施処理プログラムが格納されている。また、これら各種の処理プログラムを実行するのに必要な各種データ及びシステムデータが格納されている。
【００４０】
さらに、システムメモリ１３は、主制御部１２のワークメモリとしても利用され、主制御部１２が、各種の処理プログラムに基づいて複合機１の各部を制御する際の演算途中の各種データや演算結果の各種データ、例えば、後述する回線Ｌから通知される発信元電話番号やＴＳＩ情報等を記憶する。
【００４１】
主制御部１２は、ＣＰＵ（Central Processing Unit）などを備え、システムメモリ１３内の各種の基本処理プログラム及び命令実行処理プログラムに基づいて、システムメモリ１３をワークメモリとして利用しつつ複合機１の各部を制御して、複合機１としての基本処理を実行するとともに命令実行処理を実行する。
【００４２】
パラメータメモリ（第１発信元電話番号記憶部、第２発信元電話番号記憶部、処理内容記憶部）１４は、命令実行処理における命令を受け付ける（処理を命令することを許可する）ファクシミリの送信元（発信元）の電話番号を記憶した第１発信元電話番号テーブル５（図５参照）を記憶すると共に、ＴＳＩ情報に含まれた命令コードと処理内容との関係を示す命令テーブル（図７参照）６等を記憶している。
【００４３】
スキャナ１５は、例えば、ＣＣＤ（Charge Coupled Device ）を利用したイメージスキャナ等よりなり、一般に、ＡＤＦ（自動原稿送り装置）を備えている。ＡＤＦには、複数枚の原稿がセットされ、ＡＤＦは、セットされた原稿を１枚ずつスキャナ１５の原稿読取位置に送給する。スキャナ１５は、ＡＤＦから搬送されてきた原稿を走査し、原稿の画像を所定の解像度で読み取り画像データを生成する。
【００４４】
プリンタ１６は、例えば、インクジェットや電子写真方式を利用した記録装置よりなり、受信した画像データやスキャナ１５で読み取った画像データを記録用紙にプリント（記録出力）する。
【００４５】
網制御部１７には、回線Ｌ、例えば、公衆電話回線等が接続されており、回線の捕捉、発信元電話番号である選択信号の送出及び着信の検出等を行って、所定の発呼動作及び着信動作を行う。複合機１に接続されている回線Ｌは、発信元電話番号通知サービスを提供する。
【００４６】
モデム（発信元電話番号取得部、ＴＳＩ情報取得部）１８は、網制御部１７に接続されており、網制御部１７を介して電話回線と接続されている。モデム１８は、例えば、Ｇ３（グループ３）のファクシミリモデム機能を備えている。モデム１８は、伝送制御信号を送受信するための低速モデム（例えば、Ｖ．２１等）及び主に画像データを送受信するための高速モデム（例えば、Ｖ．１７、Ｖ．２９あるいはＶ．２７等）等を備え、特に、発信元電話番号を受信するためのモデム機能（例えば、Ｖ．２３）を備えている。モデム１８は、モデム機能を使用して、送信信号の変調及び受信信号の復調を行うとともに、回線Ｌの提供する発信元電話番号通知サービスにより通知される発信元電話番号を取得して、取得した発信元電話番号を主制御部１２に出力する。また、送信元より送信されるＴＳＩ情報を受信して取得し、主制御部１２に出力する。
【００４７】
主制御部１２は、モデム１８より入力される発信元電話番号が、第１発信元電話番号テーブルに格納されているかどうかを判断する。また、主制御部１２は、モデム１８より入力されるＴＳＩ情報に命令コードが含まれているかどうかを判断する。そして、主制御部１２は、入力された発信元電話番号が、第１発信元電話番号テーブル５に格納されており、かつ、ＴＳＩ情報に命令コードが含まれていると判断すると、命令テーブル６を参照し、命令コードに対応した処理を決定し、各種処理部７へ命令された処理を実施するよう通知する。つまり、主制御部１２が、処理決定手段として機能する。
【００４８】
画像蓄積メモリ１９は、ハードディスク等で構成され、スキャナ１５により読み取られた原稿の画像データを蓄積するとともに、受信した画像データを蓄積する。読み取った画像データや、受信した画像データは、予め定められている所定の蓄積用ファルダに蓄積される。また、画像蓄積メモリ１９は、主制御部１２による画像ファイリング（ファイリング保存）処理のデータ格納先としても利用され、画像ファイリングされる画像データを保存する記憶装置でもある。また、命令実施処理における返信処理にて発信元へと送信される画像データの格納先の記憶装置でもある。
【００４９】
符号化・復号化部２０は、画像データの画像蓄積メモリ１９への蓄積の効率化及び伝送時間の短縮化を図るためのものであり、所定の符号化方式に従って画像データを符号化し、また、符号化された画像データを復号化する。
【００５０】
操作表示部２１は、テンキー、スタートキー及びワンタッチキー等の各種操作キーを備えるとともに、ディスプレイ（例えば、液晶ディスプレイ）を備え、操作キーからは、送信操作等の各種命令が入力され、ディスプレイには、操作キーから入力された命令内容や複合機１から複合機１のオペレータに通知する各種情報が表示される。
【００５１】
次に、本複合機１にて実施される、ファクシミリのＴＳＩ情報にて命令された処理を実施する命令実施処理について説明する。
【００５２】
本複合機１は、その特徴として、発信元電話番号通知サービスを提供する回線Ｌを介して相手先のファクシミリ装置（通信端末）から送信されてくるＴＳＩ情報に含まれる命令コードを判別し、命令コードにて命令された処理を実施する機能を有している。
【００５３】
ＴＳＩ情報とは、ファクシミリ通信において、送信先との通信を確立するにあたり、発信元の通信端末より送信する情報である。ＴＳＩ情報は、送信側の通信端末の識別が入っている情報であり、通信端末にユーザが自由に登録する電話番号等の情報を２０桁以内で格納している。通常は、受信側でファクシミリの発信元が特定できるように、図３に示すような、「電話番号」が、ＴＳＩ情報として設定される。
【００５４】
ＴＳＩ情報として、アルファベットを使える機種もあるが、一般的なファクシミリ装置においては、ＴＳＩ情報は、「０〜９」までの数字と、「＋」、「＊」、「＃」及び「  （スペース）」にて構成されている。
【００５５】
しかしながら、近年提供されるようになった発信元電話番号知サービスを利用することで、ＴＳＩ情報に発信元の電話番号を設定しなくても、受信側では発信元を特定することが可能となる。
【００５６】
そこで、本実施形態のファクシミリ通信システムでは、複合機１と相手先の通信端末との間で、受信側の通信端末装置である複合機１が実施する処理内容と、その処理を命令する命令コードとを予め取り決めておく（ルール化しておく）。そして、発信元ユーザは、発信元の通信端末装置より、受信側の通信端末装置に実施させる処理の命令コードをＴＳＩ情報に含ませて送信し、受信側の通信端末装置である複合機１においては、ＴＳＩ情報に含まれる命令コードにて命じられる処理を実施する。
【００５７】
まず、図４を用いて、発信元電話番号通知サービスを提供する加入者交換機と情報受信端末との接続シーケンスを説明する。
【００５８】
複合機１の接続されている回線Ｌは、発信元の電話番号（発信元電話番号）を着信元に通知する発信元電話番号通知サービスを提供する。すなわち、当該回線Ｌの交換機（加入者線交換機）は、図４に示すように、情報受信端末（複合機１等）に着信を行う際に、まず、発信元の情報端末（電話機やファクシミリ装置等）から回線Ｌ（Ｌ１、Ｌ２）の極性を反転した後、情報受信端末起動信号を送出する情報受信端末の起動処理を行い、次いで、情報受信端末から１次応答信号（直流ループ）を受信すると、発信元電話番号（Ｖ．２３モデム）を情報受信端末に送信する情報の送出を行う。次に、交換機は、情報受信端末から受信完了信号（直流ループ断）を受信すると、呼出信号を情報受信端末に送出するとともに、同時に、発信側へ呼出音を送出する端末の呼出を行い、情報受信端末から２次応答信号（直流ループ）を受信すると、発信元の情報端末から回線Ｌ（Ｌ１、Ｌ２）の極性を復極し、通信パスを形成する。通信パスが形成されることで、発信元の情報端末より情報受信端末へとファクシミリ通信が行われる中で、情報端末の能力交換手順が行われる中に、送信側からのＴＳＩ情報が通知される。
【００５９】
図４の情報受信端末としての複合機１は、回線Ｌの発信元電話番号通知サービスとＴＳＩ情報とを利用して、命令実施処理を実施する。また、ファクシミリの発信元となるファクシミリ装置は、受信側の通信端末装置である複合機１との間で、予め定められている取り決めに従って設定された命令コードであり、複合機１にて実施させる処理を命令する命令コードが含まれたＴＳＩ情報を送信する送信部を少なくとも有している。
【００６０】
図１に、ファクシミリのＴＳＩ情報にて送信元より命令された処理の内容を判別し、これを実施する、複合機１の機能ブロック図を示す。
【００６１】
着信があると、図２のモデム１８にて構成される発信元電話番号取得部（発信元電話番号取得手段）２が、発信元の電話番号である発信元電話番号を取得し、図２の主制御部１２にて構成される処理決定部４に出力する。また、着信がファクシミリ通信である場合、図２のモデム１８にて構成されるＴＳＩ情報取得部３が、発信元の情報端末より情報受信端末へとファクシミリ通信が行われる中で、情報端末の能力交換手順が行われる中に、送信側から送信されたＴＳＩ情報を取得し、図２の主制御部１２にて構成される処理決定部４に出力する。
【００６２】
処理決定部４は、図２のパラメータメモリ１４に記憶されている第１発信元電話番号テーブル５を参照して、発信元電話番号取得部２より入力された発信元電話番号が格納されているかどうかを判断する。
【００６３】
図５に、第１発信元電話番号テーブル５の一例を示す。第１発信元電話番号テーブル５には、命令実施処理の対象となる相手先（換言すれば、命令実施処理を行うことが許可されている相手先）電話番号が格納されている。この第１発信元電話番号テーブル５は、図２の操作表示部２１のキー操作により設定することができ、また、その内容の変更及び消去を行うことができる。
【００６４】
なお、短縮番号「００１」、「００２」…などを割り当てて、電話番号を含む相手先情報を管理する相手先情報管理テーブルを備えている構成においては、第１発信元電話番号テーブル５に代えて、該管理テーブルにおいて、登録されているユーザ毎（発信元電話番号毎）に、命令実施処理の対象であるかどうかを設定するようにしてもよい。
【００６５】
さらに、処理決定部４は、ＴＳＩ情報取得部３より入力されたＴＳＩ情報に命令コードが含まれているか否かを判別し、含まれている場合は、図２のパラメータメモリ１４に記憶されている命令テーブル６を参照して、命令コードに対応する処理を実施する処理として決定し、各種処理部７へ処理の実行を指示する。
【００６６】
ここで、実施する処理の決定に、命令コードだけでなく発信元電話番号を用いるのは、不特定のユーザに本発明のファクシミリ通信システムを開放すると、受信側のユーザが所望しない不適当な処理が命令される虞があるためである。発信元電話番号を用いて命令を発することのできるユーザの対象を明確にしておくことで、見知らぬユーザから命令コードで処理が命じられても、受信側の通信端末装置は命令に従わないといった対応が可能となる。
【００６７】
本複合機１においては、後述する図１１のフローチャートに示すように、処理決定部４は、ＴＳＩ情報に命令コードが含まれているかどうかをまず判断し、命令コードが含まれている場合に、発信元電話番号が第１発信元電話番号テーブル５に登録されているかどうかを判断する第１の手順としているが、先に発信元電話番号の登録を確認し、そのあと命令コードを確認する、第１の手順とは逆の第２の手順であってもよい。各手順のメリットとしては、先に発信元電話番号の登録有無を確認する場合、同一の命令コードを発信元によって異なる意味の命令として使用でき、２０桁の制限と使用可能文字からくるコード組み合わせの不自由さをある程度解消できる上に、発信元毎の詳細なカスタマイズが可能となる。
【００６８】
各種処理部７は、処理決定部４にて決定された処理を、複合機１における印刷処理、ファクシミリ送受信処理、画像ファイリング処理等の基本処理プログラムを利用して実施する。具体的には、受信した画像データであって、画像蓄積メモリ１９の所定の蓄積用フォルダに格納されている画像データを、プリンタ１６を用いて記録用紙に出力（プリント）したり（印刷処理）、符号化・復号化部２０、モデム１８、及び網制御部１７を用いて、指定された相手先に転送したり（転送処理）、或いは、画像ファイリング処理にて、画像蓄積メモリ１９における指定された保存先にファイリング保存したりする（保存処理）。また、各種処理部７は、ファクシミリの発信元に、画像蓄積メモリ１９に予め格納されている画像データを返信する返信処理（指定フォルダ返信処理）も実施する。
【００６９】
図６に、上記のような取り決めのもと、複合機１へと送信されてきたＴＳＩ情報の一例を示す。図６の例では、命令コード「＋＋＃００１」が含まれている状態である。本実施の形態のファクシミリ通信システムにおいては、相手先との取り決めのもと、ＴＳＩ情報の先頭の６桁に、命令コードのうちのメインコード（主コード）を入力し、６桁目以降に、メインコードで示される処理を実施するのに必要な詳細情報であるサブコード（副コード）を必要に応じて入力するようになっている。したがって、命令コードは、６桁のメインコードのみからなるものもあれば、６桁を超えるメインコード＋サブコードとで構成されているものもある。なお、以下、メインコードとサブコードとを特に区別する必要がある場合を除いて、メインコード単独で構成される命令コードも、メインコード＋サブコードで構成される命令コードも、命令コードと称する。
【００７０】
処理決定部４は、ＴＳＩ情報の先頭６桁のメインコードを抽出し、抽出した６桁の文字列を、命令テーブル６に参照して、命令テーブル６に記憶されている命令コード群の中にあるかどうかを判断する。
【００７１】
そして、命令コードが含まれている場合は、命令コードに対応付けられている処理を読み出し、これを送信元より命令された処理であると決定し、各種処理部７へと指示する。
【００７２】
なお、ＴＳＩ情報における先頭６桁のうちの先頭からの３桁を数字ではなく記号としていることで、先頭が０番より始まる電話番号との区別が付け易い。また、先頭からの３桁が数字ではなく記号である場合のみ、命令テーブル６に記憶されている命令コード群の中にあるかどうかを判断させる構成としてもよい。
【００７３】
図７に、命令テーブル６の一例を示す。図７に示すように、命令コードと処理内容とがテーブル形式で設定されており、命令コード毎に、当該命令コードに対する複合機１での処理内容が設定されている。この命令テーブル６は、複合機１の操作表示部２１のキー操作により設定することができ、また、その設定内容の変更及び消去を行うことができる。
【００７４】
図７に設定されている各命令コードの処理内容について、図８（ａ）〜図８（ｆ）に示すＴＳＩ情報の具体例と共に説明する。
【００７５】
命令コードのメインコード「＋＋＃００１」には、処理内容として、即時プリント処理が設定されている。即時プリント処理では、画像蓄積メモリ１９の所定の蓄積用フォルダに格納された当該ファクシミリ通信にて受信した画像データが、プリンタ１６を用いて即刻プリント（印刷）される。
【００７６】
命令コードのメインコード「＋＋＃００２」には、処理内容として、メインコードに続くサブコードで示される時刻にプリントする処理（時刻指定プリント処理）が設定されている。
【００７７】
時刻指定プリント処理では、画像蓄積メモリ１９の所定の蓄積用フォルダに格納された当該ファクシミリ通信にて受信した画像データが、指定された時刻にプリントされる。図８（ａ）に、このようなメインコード「＋＋＃００２」とプリント時刻を指定するサブコード「＋＊１０００」とを含むＴＳＩ情報を示す。サブコード「＋＊１０００」に従って、午前１０：００にプリントされる。例えば、午後１１：２０にプリントさせたい場合は、発信元ユーザは、サブコードを「＊＋１１２０」とすればよい。つまり、ＴＳＩ情報に、命令コード「＋＋＃００２＊＋１１２０」を含めればよい。
【００７８】
命令コードのメインコード「＋＋＃００３」には、処理内容として、メインコードに続くサブコードで示される日数待機した後プリントする処理（期間保持プリント処理）が設定されている。期間保持プリント処理では、画像蓄積メモリ１９の所定の蓄積用フォルダに格納された当該ファクシミリ通信にて受信した画像データが、指定された期間保持された後にプリントされる。図８（ｂ）に、このようなメインコード「＋＋＃００３」と保持する時間を指定するサブコード「＃＊＊０００６」とを含むＴＳＩ情報を示す。サブコード「＃＊＊０００６」に従って、受信日より６日間保持（待機）した後、プリントされる。例えば、送信日より３日間後にプリントさせたい場合は、発信元ユーザは、サブコードを「＃＊＊０００３」とすればよい。つまり、ＴＳＩ情報に、命令コード「＋＋＃００３＃＊＊０００３」を含めればよい。
【００７９】
命令コードのメインコード「＋＋＃００４」には、処理内容として、見てからプリント処理が設定されている。見てからプリント処理では、画像蓄積メモリ１９の所定の蓄積用フォルダに格納された当該ファクシミリ通信にて受信した画像データに対してはプリントする処理を実施せず、操作表示部２１等を利用して、複合機１のオペレータに、ファクシミリを受信したことを報知するのみに留める。そして、オペレータがプリント（印刷）を指示した場合にプリントする。これにより、不要なプリントを回避できる。
【００８０】
命令コードのメインコード「＋＃＃００１」には、処理内容として、メインコードに続くサブコードで示される電話番号に転送する処理（転送処理）が設定されている。この処理では、画像蓄積メモリ１９の所定の蓄積用フォルダに格納された当該ファクシミリ通信にて受信した画像データが、指定されている電話番号に、ファクシミリ通信の機能を用いて転送される。図８（ｃ）に、このようなメインコード「＋＃＃００１」と転送先の電話番号であるサブコード「０１２３４５６７８９」とを含むＴＳＩ情報を示す。サブコード「０１２３４５６７８９」の電話番号に、画像データは転送される。図９に、発信元のファクシミリ装置１０１からファクシミリ送信された画像データを、発信元のファクシミリ装置１０１が指定した相手先のファクシミリ装置１０２へと、複合機１が転送する処理のイメージを示す。
【００８１】
命令コードのメインコード「＋＃＃００２」には、処理内容として、メインコードに続くサブコードで示される短縮番号に転送する処理（転送処理）が設定されている。この処理では、画像蓄積メモリ１９の所定の蓄積用フォルダに格納された当該ファクシミリ通信にて受信した画像データが、指定されている短縮番号の相手先にファクシミリ通信の機能を用いて転送される。図８（ｄ）に、このようなメインコード「＋＃＃００２」と転送先の短縮番号であるサブコード「♯００１」とを含むＴＳＩ情報を示す。サブコード「♯００１」が示す短縮番号「００１」の相手先に、画像データは転送される。
【００８２】
このようなメインコード「＋＃＃００２」は、図２のパラメータメモリ１４が、相手先情報管理テーブルを備えている場合であり、複合機１の管理テーブルにおける相手先と短縮番号との対応付けを、発信元ユーザが認識していることが前提となる。
【００８３】
命令コードのメインコード「＃＃＊００１」には、処理内容として、メインコードに続くサブコードで示されるフォルダに画像ファイリングする処理（ファイリング保存処理、保存処理）が設定されている。この処理では、画像蓄積メモリ１９の所定の蓄積用フォルダに格納された当該ファクシミリ通信にて受信した画像データが、画像蓄積メモリ１９内の指定されている画像ファイリング用の所定フォルダに保存される。図８（ｅ）に、このようなメインコード「＃＃＊００１」と保存先のフォルダ情報であるサブコード「＃００１００」とを含むＴＳＩ情報を示す。サブコード「＃００１００」のフォルダに、画像データは保存される。
【００８４】
また、命令コードのメインコード「＃＊＊００１」には、処理内容として、メインコードに続くサブコードで示される指定フォルダにあるデータ（画像データ）を、ファクシミリの発信元に送信する処理（指定フォルダ返信処理）が設定されている。この処理では、画像蓄積メモリ１９の所定の蓄積用フォルダに格納された当該ファクシミリ通信にて受信した画像データに対しては処理を実施せず、画像蓄積メモリ１９内の指定されている返信用フォルダに保存されている画像データを、発信元電話番号に送信する。図８（ｆ）に、このようなメインコード「＃＊＊００１」と、送信（返信）を希望する画像データが格納されているフォルダ情報であるサブコード「＃００５００」とを含むＴＳＩ情報を示す。サブコード「＃００５００」のフォルダにある画像データが、発信元へと送信される。
【００８５】
指定フォルダ返信処理を命じるメインコード「＃＊＊００１」の使い方としては、例えば、以下のような場合が考えられる。つまり、発信元から、複合機１のユーザに対して注文票の送信を要求する内容の画像データを送信し、ＴＳＩ情報に、このような指定フォルダ返信処理を命じるメインコード「＃＊＊００１」を含め、サブコードとして、注文票の画像データが格納されているフォルダを指定する。これにより、発信元は、複合機１のオペレータの手を煩わせることなく、注文票を受け取ると共に、注文票の送付を要求したことを、複合機１のオペレータ（複合機１のユーザ）に認識させることができる。他の例としては、通常は、フォルダ保存として利用している複合機１のフォルダの内容の送信を要求することで、内容の引き出しや、確認を行うことができる。
【００８６】
なお、図７の命令テーブル６は、命令コードとしてのメインコードと処理内容の一例を記載しているに過ぎず、命令コードは、発信元となるユーザとの間で、発信元電話番号やユーザ名が設定される、発信元を特定させるための情報欄としての利用と重複する可能性のあるコードを避けて、適宜設定すればよい。
【００８７】
また、図１０（ａ）（ｂ）に、メインコードに続くサブコードを複数設定し、発信元より、より高度な処理を指示する例を示す。
【００８８】
図１０（ａ）には、メインコード「＋＋＃００３」と、これに続く第１サブコード「＋＊１０００」と、さらにこれに続く第２サブコード「＊＊２＃＊１」とを含むＴＳＩ情報を示す。ここで、第２サブコード「＊＊２＃＊１」は、プリントするときの画像編集を指示しており、具体的には、２枚分の原稿画像を記録用紙１枚分に集約して記録する「２ｉｎ１」出力を指示している。
【００８９】
複合機１における処理決定部４は、命令コードにおいて、メインコードの後、或いはメインコードに続く第１サブコードの後に、このような第２サブコード、或いはさらに続く第３、第４のサブコードがある場合、メインコード、或いはメインコード＋第１サブコードにて示される処理内容に加えて、それ以降のサブコードで指定された処理を実施する。
【００９０】
プリントするときの画像編集としては、Ｎｉｎ１出力の他、ステープル指定、両名印刷して、出力用紙サイズ指定などが考えられる。
【００９１】
また、図１０（ｂ）には、メインコード「＋＃＃００２」と、これに続く第１サブコード「♯００１」と、さらにこれに続く第２、第３サブコード「♯００２」「♯００５」とを含むＴＳＩ情報を示す。ここで、第２、第３サブコード「♯００２」「♯００５」は、当該ファクシミリ通信にて受信した画像データを転送すべき、第２、第３の相手先の短縮番号が指定されており、複合機１における処理決定部４は、第２、第３サブコード「♯００２」「♯００５」に示される短縮番号「００２」「００５」の相手先にも、当該ファクシミリ通信にて受信した画像データを転送する。
【００９２】
次に、図１１のフローチャートを用いて、命令実施処理の手順について説明する。
【００９３】
複合機１は、図１１に示すように、待機状態において、主制御部１２は、着信があったかどうかをチェックし（ステップＳ１）、着信があったときは、発信元電話番号情報（ナンバーディスプレイ情報）、ＴＳＩ情報、画像データを受信する（ステップＳ２）。
【００９４】
次に、主制御部１２は、ＴＳＩ情報に命令コードが含まれているかどうかを判断し（ステップＳ３）、含まれていない場合は、複合機１に設定されている通常の画像データ処理を行う（ステップＳ７）。つまり、複合機１のファクシミリ受信した画像データの処理として、例えば、即刻プリントが設定されている場合は、プリンタ１６にて記録用紙に出力する。或いは、見てからプリントが設定されている場合は、ファクシミリを受信したことをユーザに報知する。
【００９５】
一方、ＴＳＩ情報に命令コードが含まれている場合は、続いて、主制御部１２は、取得した発信元電話番号情報が、第１発信元電話番号テーブル５に登録されているかどうかを判断し（ステップＳ４）、含まれていない場合は、前記したステップＳ７に移行し、複合機１に設定されている通常の画像データ処理を行う。
【００９６】
そして、主制御部１２は、取得した発信元電話番号情報が、第１発信元電話番号テーブル５に登録されている場合は、命令テーブル６を参照して、ＴＳＩ情報に含まれている命令コードの処理を決定し（ステップＳ５）、決定された処理（命令コードの命令に従った処理）を実行する（ステップＳ６）。決定された処理は、当該ファクシミリ通信にて受信した画像データに対する処理である場合もあれば、指定フォルダ返信処理のように、受信した画像データに対する処理に対する命令を含まない場合もある。
【００９７】
以上のように、本実施形態のファクシミリ通信システム、及び本実施形態の複合機１においては、発信元電話番号通知サービスの提供により、受信側に発信元を知らせるといった役目のなくなったＴＳＩ情報を使って、発信元より、受信側の複合機１に対して、これから送信する画像データに対する処理など、受信側の複合機１にて実施させる処理を命令することが可能となる。
【００９８】
したがって、ファクシミリの発信元となるユーザと受信側となるユーザとの間で、受信側ユーザの有する通信端末装置である複合機１の機能に応じて、命令コードにて指定する処理を種々設定しておき、送信元のユーザは、例えばこれからファクシミリ送信しようとする情報の内容や重要性に応じて、受信側の通信端末装置である複合機１に対して、送信する画像データに実施させる処理をＴＳＩ情報にて命令する。これにより、受信側のユーザは、自らの手を煩わせることなく、受信した情報の内容や重要性に応じた仕分け作業を複合機１が自動で実施することとなり、非常に利便性の高いものとなる。
【００９９】
しかも、テキストデータにて記載されるＴＳＩ情報を用いているので、カデンス回数を検出するための特別な手段を設ける必要がなく、また、ＴＳＩ情報を用いることで、数字にて電話番号を情報に含めることができるので、受信側の複合機１に電話番号が登録されていない相手先への転送も可能となる。また、２０桁で構成されるＴＳＩ情報を利用することで、受信側の通信端末装置が、本実施形態のような複合機１であったとしても、送信側より、複合機の機能を使いこなすような処理命令も可能になる。
【０１００】
なお、一般的にファクシミリ装置は、送信する画像データに、ＴＳＩ情報の画像データも含めて送信するようになっている。ファクシミリ送信されてき画像データの印刷物（用紙）の上端左端位置などに小さく送信元電話番号が記載されているのがこれに相当する。ＴＳＩ情報が、送信元電話番号である場合は、ＴＳＩ情報がそのまま印刷されても、意味のある文字列であるので有効であるが、本発明のように、ＴＳＩ情報を命令コードとして利用する場合には、ＴＳＩ情報がそのまま印刷されるのは好ましくない。
【０１０１】
そこで、本実施形態の複合機１においては、主制御部１２が、ＴＳＩ情報に命令コードが含まれている場合は、受信した画像データにおける、ＴＳＩ情報の画像部分の画像データを、発信元電話番号通知サービスにて取得した発信元電話番号の画像データに書き換えるように構成されている。これにより、送信元電話番号が従来どおり印刷されるようになり、受信側ユーザが戸惑うことがない。
［実施の形態２］
本発明の他の実施形態について、図１、図１２，図１３に基づいて説明すれば、以下のとおりである。なお、説明の便宜上、前記実施の形態１にて説明した図面と同じ機能を有する部材については、同じ符号を付記し、その説明を省略する。
【０１０２】
本実施の形態の複合機と、実施の形態１の複合機１との違いは、本実施の形態の複合機が、第１発信元電話番号テーブル５に代えて、図１２に示す第２発信元電話番号テーブル５０を備えており、発信元電話番号毎に、使用できる命令コード（指定可能な命令コード）が決められている点である。
【０１０３】
つまり、実施の形態１の複合機１では、第１発信元電話番号テーブル５に登録されている全ての発信元が、命令コードさえ知っていれば、命令テーブル６に設定されている全ての処理を複合機１に命じることができる構成となっている。
【０１０４】
これに対し、本実施の形態の複合機が備える第２発信元電話番号テーブル５０では、発信元電話番号毎に使用できる命令コードが決められているので、発信元より許可していない命令コードで処理が命じられても、複合機は命令に従わず、複合機側の判断で処理を決定することができる。
【０１０５】
本発明のファクシミリ通信システムは、複合機側での画像データの処理を発信元から命令できるので、複合機のユーザが希望しない処理が送信元より命令される事態も想定される。このような希望しない処理の命令を拒否（規制）できる手立てを受信側に設けておくことで、本発明のファクシミリ通信システムの利便性の向上がはかれる。
【０１０６】
図１３のフローチャートに、本実施の形態の複合機における命令実施処理の手順を示す。図１３において、ステップＳ１〜Ｓ４までの処理と、ステップＳ５〜Ｓ８までの処理は、図１１と同じである。異なるのは、ステップＳ４とＳ５との間に、第２発信元電話番号テーブル５０を参照して、取得した命令コードが発信元電話番号に許可されている命令コード（メインコード）であるかどうかを判断するステップＳ８を有する点である。ステップＳ８において、許可されている場合は、ステップＳ５に進むが、許可されていない場合は、ステップＳ７に移行し、複合機１に設定されている通常の画像データ処理を行うこととなる。
【０１０７】
また、実施の形態１、２においては、命令テーブル６にて命令コードとその処理内容を管理し、全ての発信元電話番号に対して、命令コードと処理内容を共通化していたが、発信元電話番号毎に、命令コードとその処理内容を個別に設定することももちろん可能である。
［実施の形態３］
本発明の他の実施形態について、図１４，図１５に基づいて説明すれば、以下のとおりである。なお、説明の便宜上、前記実施の形態１、２にて説明した図面と同じ機能を有する部材については、同じ符号を付記し、その説明を省略する。
【０１０８】
前述したように、機種によっては、ＴＳＩ情報としてアルファベットを使えるものがある。アルファベットを使える機種においては、アルファベットを利用することで、命令コードがより短い桁数にて作成できるので、より多くかつより複雑な処理であっても、命令コードにて指示することが可能になる。
【０１０９】
図１４に、アルファベットを利用した命令コードと処理内容とを定めた命令テーブル６’の内容例を示す。また、図１５（ａ）〜図１５（ｆ）に、アルファベットを用いた利用した場合の命令コードとサブコードとからなるＴＳＩ情報の具体例を示す。
【０１１０】
命令コードのメインコード「Ａ００１」には、処理内容として即時プリントの処理が設定されている。メインコード「Ａ００２」には、処理内容として、メインコードに続くサブコードで示される時刻にプリントする処理（時刻指定プリント処理）が設定されている。図１５（ａ）に、このようなメインコード「Ａ００２」とプリント時刻を指定するサブコード「ＡＭ１０００」とを含むＴＳＩ情報を示す。サブコード「ＡＭ１０００」に従って、午前１０：００にプリントされる。
【０１１１】
命令コードのメインコード「Ａ００３」には、処理内容として、メインコードに続くサブコードで示される日数待機した後プリントする処理（期間保持プリント処理）が設定されている。図１５（ｂ）に、このようなメインコード「Ａ００３」と待機時間を指定するサブコード「Ｄ０００６」とを含むＴＳＩ情報を示す。サブコード「Ｄ０００６」に従って、受信日より６日間待機した後、プリントされる。
【０１１２】
命令コードのメインコード「Ａ００４」には、処理内容として、見てからプリントが設定されている。メインコード「Ｂ００１」には、処理内容として、メインコードに続くサブコードで示される電話番号に転送する処理が設定されている。図１５（ｃ）に、このようなメインコード「Ｂ００１」と転送先の電話番号であるサブコード「０１２３４５６７８９」とを含むＴＳＩ情報を示す。サブコード「０１２３４５６７８９」の電話番号に、画像データは転送される。
【０１１３】
命令コードのメインコード「Ｂ００２」には、処理内容として、メインコードに続くサブコードで示される短縮番号に転送する処理が設定されている。図１５（ｄ）に、このようなメインコード「Ｂ００２」と転送先の短縮番号であるサブコード「♯００１」とを含むＴＳＩ情報を示す。サブコード「♯００１」が示す短縮番号「００１」の相手先に、画像データは転送される。
【０１１４】
命令コードのメインコード「Ｃ００１」には、処理内容として、メインコードに続くサブコードで示されるフォルダに画像ファイリングする処理が設定されている。図１５（ｅ）に、このようなメインコード「Ｃ００１」と保存先のフォルダ情報であるサブコード「ＩＤ００１００」とを含むＴＳＩ情報を示す。サブコード「ＩＤ００１００」のフォルダに、画像データは保存される。
【０１１５】
また、命令コードのメインコード「Ｄ００１」には、処理内容として、メインコードに続くサブコードで示されるフォルダにあるデータ（画像データ）を、ファクシミリの発信元に送信する処理（指定フォルダ返信処理）が設定されている。図１５（ｆ）に、このようなメインコード「Ｄ００１」と、送信（返信）を希望する画像データが格納されているフォルダ情報であるサブコード「ＩＤ００５００」とを含むＴＳＩ情報を示す。サブコード「ＩＤ００５００」のフォルダにある画像データが、発信元へと送信される。
【０１１６】
上記各実施形態において、複合機１に備えられる、処理決定部４は、ＣＰＵ等のプロセッサを用いてソフトウェアによって実現される。すなわち、複合機１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである複合機１の制御プログラムのプログラムコード（実行形式プログラム、中間コードプログラム、ソースプログラム）をコンピュータで読み取り可能に記録した記録媒体を、複合機１に供給し、そのコンピュータ（またはＣＰＵやＭＰＵ）が記録媒体に記録されているプログラムコードを読み出し実行することによって達成される。
【０１１７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１８】
また、複合機１を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１９】
また、複合機１の処理決定部は、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１２１】
１      複合機（受信側の通信端末装置）
２      発信元電話番号取得部
３      ＴＳＩ情報取得部
４      処理決定部
５      第１発信元電話番号テーブル（第１発信元電話番号記憶部）
６      命令テーブル（処理内容記憶部）
６’    命令テーブル（処理内容記憶部）
５０    第２発信元電話番号テーブル（第２発信元電話番号記憶部）
【図１】
2011234035.tif 000003
【図２】
2011234035.tif 000004
【図３】
2011234035.tif 000005
【図４】
2011234035.tif 000006
【図５】
2011234035.tif 000007
【図６】
2011234035.tif 000008
【図７】
2011234035.tif 000009
【図８】
2011234035.tif 000010
【図９】
2011234035.tif 000011
【図１０】
2011234035.tif 000012
【図１１】
2011234035.tif 000013
【図１２】
2011234035.tif 000014
【図１３】
2011234035.tif 000015
【図１４】
2011234035.tif 000016
【図１５】
2011234035.tif 000017